(57)【特許請求の範囲】
【請求項１】
カウンターを支持する支持碗部と、壁面に固定する壁固定部と、床面に固定する床固定部と、前記支持碗部と前記床固定部とを連接する支持脚部とを有する支持金具と、該支持金具に係合させてカウンターの前垂部下部に配設させる、係合着脱自在な開閉扉を有する枠体とからなるカウンター用開閉扉取付ユニット。
【請求項２】
前記支持脚部に、前記枠体を係止する係止部を有した前後方向に移動可能な可動体を連結したことを特徴とする請求項１記載のカウンター用開閉扉取付ユニット。
【請求項３】
前記枠体の前面に開閉扉を取付け、裏面に前記係止部に係合させる引掛片が設けられると共に、上面にカウンターの前垂部裏面に当接する突碗出部が設けられたことを特徴とする請求項１または２記載のカウンター用開閉扉取付ユニット。
【発明の詳細な説明】
【０００１】
【発明の属する技術分野】
本発明は、カウンター下部空間を利用するために、開閉扉をカウンター下前面に取付けるユニットに関するものである。
【０００２】
【従来の技術】
カウンターの下部には給排水の配管、電機配線及びカウンター取付用金具等が配設され、カウンターの下部空間を利用するには、実開平６−２６６７０に開示されるように、カウンターの洗面器取付け部以外の下部空間に、左右一対の開閉扉付キャビネットを配設させ、これにカウンターを載置固定させる方法があるが、この方法では洗面器下の空間は給排水の配管があるため使用できず、利用する下部空間の範囲がキャビネット内に限定され、有効に利用することができない。又、キャビネットは既製のものが多く、奥行や横幅が規定されているため、扉の大きさや開閉方向を自由に変更しにくい。
【０００３】
そこで、カウンター下部全体に開閉扉を取付けることにより、カウンター下部空間全体を利用することが考えられ、実開平６４−３１１５９や実開平２−１１２１７９のように、下部空間を包囲且つ前面側を開口するように形成した凾体やフレームを作成してカウンターを支持固定すると共に、この前面開口部に予め作成された開閉扉が開閉可能にヒンジ等で取付けられた枠体を嵌合させ、締結具で枠体を凾体に固定させたり、締結具で枠体をフレームに固定させて開閉扉を配設させる方法も取られている。
【０００４】
これらは、凾体及びフレームに枠体を嵌合させやすくするように台座部を設けたり、枠体と嵌合する凾体又はフレームとがピッタリ嵌合するように、枠体と嵌合する凾体又はフレームとの寸法精度が必要となり、寸法精度を良くしていても枠体が長尺になってくると、凾体又はフレームは現場施工となり、枠体又は凾体又はフレームに歪みや狂いが発生して嵌合が困難となることがある。又、固定させるために、凾体又はフレームに予め設けられた締結金具の締結位置等に合わせたり、裏面から締結金具の捩じ込みをする作業が必要となる。
【０００５】
【発明が解決しようとする課題】
本発明において解決すべき課題は、ビスやボルト等の多数の締結金具部材を必要とせず、締結固定作業を省略した簡単なユニットで、カウンター下前面に開閉扉を配設させ、カウンター下部空間を最大限利用することである。
【０００６】
【課題を解決するための手段】
カウンターを支持する支持碗部と、壁面に固定する壁固定部と、床面に固定する床固定部と、前記支持碗部と前記床固定部とを連接する支持脚部とを有する支持金具と、該支持金具に係合させてカウンターの前垂部下部に配設させる、係合着脱自在な開閉扉を有する枠体とからなるカウンター用開閉扉取付ユニットであり、前記支持脚部に、前記枠体を係止する係止部を有した前後方向に移動可能な可動体を連結し、前記枠体の前面に開閉扉を取付け、裏面に前記係止部に係合させる引掛片が設けられると共に、上面にカウンターの前垂部裏面に当接する突出部が設けられている。
【０００７】
【発明の実施の形態】
次に、本発明の実施例を図面に基づいて説明する。
図１乃至図２は、本実施例カウンター用開閉扉取付けユニットを使用した開閉扉取付  け仕様を示している。
【０００８】
カウンター用開閉扉取付けユニット１は、図１に示すように、立上部２ａと洗面器等を取付けるための洗面器取付孔５００を２個配設してなる平面部２ｂと前垂部２ｃとからなるカウンター２と、このカウンター２を支持する支持金具４と、この支持金具４に係止可能とする開閉扉体３よりなる。
【０００９】
図２及び図３に示すように、支持金具４は、カウンターを支持固定する支持金具本体５と、開閉扉体３を係止させる係止部を有する可動体６とからなる。
【００１０】
支持金具本体５は、壁面支持をする縦断面コの字型状を呈する杆材を側面視逆Ｌ字型に折曲して形成した、カウンター平面部に沿ってカウンター平面部を水平支持する、カウンター用取付具７を中途部に間隔をおいて配設させた支持碗部５ａと、カウンター２を壁面１００に固定する壁固定部５ｂと、壁固定部５ｂの垂直杆部に垂直状に溶着等の所望手段で固着して形成された壁用板体５ｃと、又、床面支持をする、支持碗部５ａと同様に縦断面コの字型状を呈する杆材を側面視Ｌ字型に折曲して形成した、上端を支持碗部５ａに連設し、支持碗部５ａから床面２００に垂下する支持脚部５ｅと、この支脚部５ｅに片持状に固着させて前方へ突出させた状態で上下に間隔をおいて配設させた支持板部５ｆと、床面２００に沿って水平延設する床固定部５ｇと、床固定部５ｇに水平状に溶着等の所望手段で固着して形成された床用板体５ｈとから構成されている。
【００１１】
壁用板体５ｃは、壁固定部５ｂを挟む両側部分に取付用縦孔等の取付孔５ｉを開孔して形成され、この取付孔５ｉを介してネジ３００を壁面１００に螺着することで壁に固定できるようになっている。
支持脚部５ｅは、上端を支持碗部５ａの先端近傍に溶着等の手段で固着すると共に、床固定部５ｇの下端に床用板体５ｈを同様に溶着等の手段で固着してなり、床用板体５ｈには、床固定部５ｇを挟む両側部分に取付用縦孔等の取付孔５ｊが開孔して形成され、この取付孔５ｊを介してアジャスターボルト５ｋと固定ボルト５ｌとが各々配設され、支持金具本体  ５をアジャスターボルト５ｋで高さ調整した後に固定ボルト５ｌで床面２００に固定出来るようになっている。
【００１２】
カウンター用取付具７は、図２に示すように、逆向きハット型を呈し、両鍔部７ｅに開孔した固定孔７ｆを有する受け金具７ａと、その受け金具７ａの底部に開孔した挿通孔７ｂと、その挿通孔７ｂに対応して支持碗部５ａの上片裏面に固定したナット５ｎと、そのナット５ｎと挿通孔７ｂとを連通するように支持碗部５ａの上片に開孔した中間孔５ｍと、上記挿通孔７ｂ、中間孔５ｍを介して螺軸部７ｄをナット５ｎに螺合させるボルト７ｃと、ボルト７ｃをハット５ｎに対して螺着状態のまま上方向に移動させることで受け金具７ａ自体の高さを微調整させ、カウンター２の高さが決まった状態の時、固定孔７ｆを挿通するネジ３００をカウンター２の裏面の適宜位置に貼着した補強板２ｄに螺着することで、カウンター２を固定できるようになっている。
【００１３】
可動体６は、縦断面コの字型状を呈する側面視逆Ｌ字型に折曲した杆材で垂直部６ａと水平部６ｂを形成すると共に、垂直部６ａの下端に固着させて設けた載置板６ｃとからなり、水平部６ｂと載置板６ｃとは、支持脚部５ｅに突出させて設けられた上下一対の支持板部５ｆ、５ｆ′の各々に当接するように配設され、前後方向に移動可能としている。水平部６ｂ及び載置板６ｃにはボルト孔６ｄ、６ｄ′が開口され、支持板部５ｆ、５ｆ′にはボルト孔５ｄ、５ｄ′とが開口されており、支持板部のボルト孔５ｄ、５ｄ′と、可動体６のボルト孔６ｄ、６ｄ′とを介して、蝶ボルト６ｅ、６ｅ′を挿通させ、ナット６ｆ、６ｆ′で固定できるようになっている。又、載置板６ｃには、垂直部６ａを挟んで左右並列位置で、且つ後述する開閉扉体３に配設され引掛片８の突出部８ｂが係合する位置に、係合部として引掛用突起６ｇ、６ｇ′が固着されている。又、図２に示す引掛用突起６ｇの固定位置には、可動体６の垂直部６ａの前面から引掛片８の突出Ｂ寸法分の奥行内としている。
【００１４】
開閉扉体３は、扉板３ｄ、３ｄ′と、扉板３ｄ、３ｄ′の裏面上下端に当接する横幅木３ａ、３ｂ及び横幅木３ａ、３ｂを垂直に結ぶように縦幅木３ｃを固定させた枠体Ａとからなり、扉板３ｄ、３ｄ′は、５ｍｍ厚のフラッシュ合板でできており、カウンター２の前垂部２ｃと床面２００との間に床幅木４００の寸法を残した状態で配設される縦寸法で、カウンター２と同じ長さ寸法を、洗面器取付孔５００の中心を中心線として２箇所と洗面器取付孔５００、５００の中間で１箇所分割させた、４枚の扉板よりなる。分割位置はこれに限定されることなく、現場で適宜寸法に分割することも可能である。
【００１５】
扉板３ｄ、３ｄ′の裏面の左又は右端部と枠体Ａの縦幅木３ｃの内側面とをヒンジ３ｇで、洗面器取付孔５００の中心を中心線として観音開きに開閉可能となるよう２枚の扉板３ｄ、３ｄ′を夫々片持ち状に連結固定させ、開閉可能としたもので、開閉扉体３を閉じた状態では下部空間前面を遮蔽できるようにしている。
【００１６】
枠体Ａは、カウンター２の前垂部２ｃの裏面下端部及び扉板３ｄ、３ｄ′の裏面上端部に亘って当接する幅寸法で、カウンター２と同じ長さ寸法を有する上側横幅木３ａと、この上側横幅木３ａの下方に平行に配設された下側横幅木３ｂと、これら横幅木３ａ、３ｂを垂直に結ぶように縦幅木３ｃを、上側横幅木３ａ及び下側横幅木３ｂの両端部位置に各１箇所と洗面器取付孔５００、５００の中間の中心線上に１箇所、横幅木３ａ、３ｂの裏面から固定させている。
【００１７】
又、下側横幅木３ｂの裏面には、一片８ａを固着させ、他片８ｂを突出させた階段状を呈する引掛片８を、載置板６ｃに配設された引掛用突起６ｇ、６ｇ′に対応する部分に固着させてなり、この引掛片８を引掛用突起６ｇ、６ｇ′に係合させることで、開閉扉体３をカウンター２の前垂部２ｃの下部に、簡単に取付けることができる。
【００１８】
次に、本実施例カウンター用開閉扉取付けユニットを用い、開閉扉体３を取付けるその手順を説明する。
まず、図１〜図３に示すように、洗面器取付孔５００の中間及び両壁面より３ｃｍ離した位置に支持金具４を配置する。その状態から、カウンター２の増設高さ、カウンター２の前出寸法に合わせてアジャスターボルト５ｋで高さ調整し且つ可動体６の前出寸法を前方にスライドさせて調整し固定する。次に、支持金具本体５の固定部５ｂに固着されている壁用板体５ｃを壁面１００に固定し、支持脚部５ｅに固着した床固定部５ｇを固定ボルト５ｌで床面２００に固定する。
【００１９】
その後、カウンター２を支持碗部５ａに載置し、ボルト７ｃをナット５ｎに対して螺着状態のまま上方向に移動させることで受け金具７ａ自体の高さを微調整させ、ネジ３００でカウンター２の裏面の補強木２ｄに固定する。
【００２０】
その後、開閉扉３の上部をカウンター２の前垂部２ｃ裏側上方へ挿入させながら、引掛片３ｅを引掛用ボルト５ｐに引掛けて落し込み嵌合させると共に、上側横幅木３ａの上部を前垂部２ｃ裏面に当接させて、扉板３ｄ、３ｄ′を前垂部２ｃの下端面に沿って配設させる。このようにして、カウンター用開閉扉取付けユニットを完成することで、可動体で開閉扉の後倒れを防止し、上側横幅木の前垂部当接で前倒れを防止する安定した開閉扉の取付けが可能となり、ガタツキなく扉板３ｄ、３ｄ′を開閉させて、カウンター２の下部空間を遮蔽したり、開放したりすることができる。
【００２１】
【発明の効果】
カウンターを支持し且つ枠体を嵌合するための、箱体及びフレーム等を加工する必要がなく、カウンターを支持するための支持金具に配設させた引掛用突起に開閉扉体の引掛片を嵌合するだけで、カウンター下部に開閉扉を固定することができるため、枠体を締結固定する多数の締結金具部材が不要となると共に、締結固定作業を省くことができ、経費軽減が図れる。又、一種の支持金具でカウンター長さや奥行きに関係なく、扉のサイズ及び開閉継ぎ目を自由に変更したり、前後調節ができるため、施工現場での様々な仕様に対応することが可能となる。
【図面の簡単な説明】
【図１】本実施例の展開斜視図
【図２】本実施例の取付けＣ−Ｃ断面図
【図３】支持金具の拡大斜視図
【符号の説明】
１：開閉扉取付けユニット        １００：壁面
２：カウンター                  ２００：床面
３：開閉扉体                    ５００：洗面器取付孔
３ａ：上側横幅木                  Ａ：枠体
４：支持金具
６：可動体
６ｇ、６ｇ′：引掛用突起
７：カウンター用取付具
８：引掛片
【図１】
0003567562.tif 000002
【図２】
0003567562.tif 000003
【図３】
0003567562.tif 000004